(57)【要約】      （修正有）【課題】混合物が粘性の高いものとなっても、混合物を容易に取り出すことができ、容器内の残存を抑えることができる、新規な二剤混合容器を提供する。【解決手段】内容物C1を充填する凹部を有し、その内側にピストン2が摺動可能に保持される第1容器1と、ノズル2nの先端が挿入される注出口A2を有し内容物C1が充填される第2容器10を備え、第2容器10は、口部11を有し、口部11が肩部12から胴部13を介して底部14に繋がり、その内側に内容物C2が充填されるボトル容器であって、胴部14の内側に、軸線O方向に沿って摺動可能に保持される隔壁16aを有し、注出口A2に通じる充填空間R2を形成する中皿16を備え、底部14には、凹部nに通じて中皿16を注出口A2に向かって押し込む棒材を挿入可能な貫通孔A4が設けられており、充填空間R2には、内容物C1,C2を攪拌するための部材17が配置されている。【選択図】図４
2010260593.tif 000002
【特許請求の範囲】
【請求項１】
第１の内容物を充填する凹部を有し、その内側にノズルを備えるピストンが摺動可能に保持される第１容器と、
この第１容器のノズルの先端が挿入される開口部を有し当該開口部を通して第１の内容物が充填される第２容器とを備え、
当該第２容器は、開口部が形成される口部を有し、この口部が肩部から胴部を介して底部に繋がり、その内側に第２の内容物が充填されるボトル容器であって、
胴部の内側に、軸線方向に沿って摺動可能に保持される隔壁を有し、開口部に通じる充填空間を形成する中皿を備え、
更に、底部には、中皿の下端に通じて中皿を開口部に向かって押し込む棒材を挿入可能な貫通孔が設けられていることを特徴とする、二剤混合容器。
【請求項２】
請求項１において、中皿の下端に、棒材の先端が挿入される凹部を設けることを特徴とする、二剤混合容器。
【請求項３】
請求項１又は２において、第２容器の充填空間に、内容物を攪拌するための部材を配置したことを特徴とする、二剤混合容器。
【発明の詳細な説明】
【技術分野】
【０００１】
本発明は、２つの内容物を使用直前に混合させることができると共に、この混合させた内容物の粘度による影響が少なく、確実に取り出させるようにした二剤混合容器に関するものである。
【背景技術】
【０００２】
従来の二剤混合容器には、例えば、第１の内容物を充填する凹部を有し、その内側にノズルを備えるピストンが摺動可能に保持される第１容器と、この第１容器のノズルの先端が挿入される開口部を有し当該開口部を通して第１の内容物が充填される第２容器とを備えるものがある（例えば、特許文献１参照）。
【先行技術文献】
【特許文献】
【０００３】
【特許文献１】実公平７−３４８５９号公報
【発明の概要】
【発明が解決しようとする課題】
【０００４】
従来の二剤混合容器によれば、第２容器が圧搾可能な容器であるため、混合物が高い粘性を有するものであっても、その圧搾によって混合物を確実に取り出すことができる。
【０００５】
しかしながら、従来の二剤混合容器を用いる場合、混合物の取り出しが圧搾で行われることから、取り出し操作が煩雑であった。加えて、圧搾による取り出しの場合、混合物が残存し易く、きれいに使い切ることができないことがある。
【０００６】
本発明の目的とするところは、混合物が粘性の高いものとなっても、混合物を容易に取り出すことができ、しかも容器内の残存を抑えることができる、新規な二剤混合容器を提供することにある。
【課題を解決するための手段】
【０００７】
本発明である、二剤混合容器は、第１の内容物を充填する凹部を有し、その内側にノズルを備えるピストンが摺動可能に保持される第１容器と、
この第１容器のノズルの先端が挿入される開口部を有し当該開口部を通して第１の内容物が充填される第２容器とを備え、
当該第２容器は、開口部が形成される口部を有し、この口部が肩部から胴部を介して底部に繋がり、その内側に第２の内容物が充填されるボトル容器であって、
胴部の内側に、軸線方向に沿って摺動可能に保持される隔壁を有し、開口部に通じる充填空間を形成する中皿を備え、
更に、底部には、中皿の下端に通じて中皿を開口部に向かって押し込む棒材を挿入可能な貫通孔が設けられていることを特徴とするものである。なお、本願では、発明の名称として、便宜的に、「二剤」という表現を用いているが、ここでいう「二剤」とは、第１の内容物と第２の内容物とが異なる場合に限らず、両内容物が同一の場合も含む。
【０００８】
本発明によれば、中皿の下端に、棒材の先端が挿入される凹部を設けることができる。
【０００９】
また、本発明によれば、第２容器の充填空間に、内容物を攪拌するための部材を配置することができる。
【発明の効果】
【００１０】
本発明によれば、第１容器を逆さまにして第２容器の開口部にノズルを挿入した後、そのまま第１容器を押し込めば、この第１容器からの第１の内容物を、第２容器の充填空間に充填された第２の内容物に混合させることができる。
【００１１】
しかも、第１の内容物を充填した後は、第２容器の底部に設けた貫通孔に棒材を挿入することで、中皿を開口部に向かって押し込めば、第２容器の開口部から混合物を容易に取り出すことができる。加えて、第２容器に残存する混合物も、中皿によって押し出されることで効率的に取り出すことができる。
【００１２】
即ち、本発明によれば、混合物が粘性の高いものとなっても、第２容器から容易に取り出すことができ、しかも第２容器内の残存を抑えることができる。
【００１３】
また、中皿の下端に、棒材の先端が挿入される凹部を設ければ、棒材を中皿に確実に位置決めすることができるため、混合物の取り出しが更に容易になる。
【００１４】
また、第２容器の充填空間に、内容物を攪拌するための部材を配置すれば、第１の内容物と第２の内容物とを確実に混合させることで、混合物の粘性は、混合物全体として均一なものとなる。
【００１５】
即ち、第２容器の充填空間に、内容物を攪拌するための部材を配置すれば、第２容器からの取り出しを更に容易にでき、第２容器内に残存する混合物の発生も更に抑えることができる。
【図面の簡単な説明】
【００１６】
【図１】(a),(b)はそれぞれ、本発明に係る、第１容器の一形態を一部断面で示す側面図及び、同形態に係る、ノズル付きピストンを上方から示す斜視図である。
【図２】(a),(b)はそれぞれ、本発明に係る、第２容器の一形態を一部断面で示す側面図及び、同形態に係る、棒材を一部断面で示す側面図である。
【図３】同形態にて、第２容器に充填された第２の内容物に第１容器を用いて第１の内容物を混合させる直前の状態を一部断面で示す側面図である。
【図４】同形態にて、第２容器に充填された第２の内容物に第１容器を用いて第１の内容物を混合させる状態を一部断面で示す側面図である。
【図５】同形態にて、第１の内容物と第２の内容物とを第２容器内で混合させた状態で、第２容器の口部をキャップで封止した状態を一部断面で示す側面図である。
【図６】同形態にて、第１の内容物と第２の内容物とを混合させた第２容器から棒材を用いて混合物を取り出した状態を一部断面で示す側面図である。
【発明を実施するための形態】
【００１７】
以下、図面を参照して、本発明の一形態である、二剤混合容器を詳細に説明する。
【００１８】
図１にて、１は、筒状部１ａと底部１ｂとからなり、その内側に、第１の内容液Ｃ1を充填する凹部（以下、「充填空間」）Ｒ1を有する第１容器である。充填空間Ｒ1には、ピストン２が配置されている。ピストン２は、軸線Ｏ1に沿って摺動可能に保持される隔壁２ａを有し、その内側には、凹部１ａを外界に通じさせる注出口Ａ1が形成されたノズル２ｎが一体に設けられている。
【００１９】
また、ピストン２は、第１容器１の内周面に摺動可能に保持される外周部２ｂとノズル２ｎとの間に、ノズル２ｎを軸線Ｏ1周りに全周に亘って取り囲む周壁２ｃが一体に設けられている。周壁２ｃには、その周方向（軸線Ｏ1周り）に延在する環状凹部２ｄが形成されている。更に、ノズル２ｎと周壁２ｃとの間は、図１(b)に示すように、軸線Ｏ1周りに間隔を空けて配置された複数の薄板片２ｆにより連結されている。
【００２０】
３は、第１容器１に着脱可能に装着されるキャップである。キャップ３は、軸線Ｏ1周りに時計回り又は反時計回りに回転させることで、第１容器１に進退可能にねじ付けられる。
【００２１】
また、キャップ３の上端壁３ｗからは、ノズル２ｂの注出口Ａ1を封止するシール突起３ｓと、このシール突起３ｓを取り囲む周壁３ｃとが一体に垂下する。周壁３ｃには、周壁２ｃに設けられた環状凹部２ｄに引っ掛かることで着脱可能な係止突起３ｐが設けられている。これにより、キャップ３をねじ付けると、キャップ３は、第１容器１に固定されると共に、ピストン２に係止された状態で注出口Ａ1を封止する。
【００２２】
なお、キャップ３は、第１容器１に設けられたシールリング部材４を介して第１容器１に接触する。これにより、第１容器１とキャップ３との間は、シールリング部材４によりその密閉性が確保されている。
【００２３】
次に、図２にて、１０は、第２の内容物Ｃ2が充填される第２容器である。第２容器１０は、キャップ２０が装着される口部１１を有し、この口部１１が肩部１２から胴部１３を介して底部１４に繋がるボトル容器である。キャップ２０は、軸線Ｏ2周りに時計回り又は反時計回りに回転させることで、第２容器２に進退可能にねじ付けられる。
【００２４】
キャップ２０も、第１容器１と同様、第２容器２に設けられた中栓部材１５を介して第２容器２に接触する。中栓部材１５の内側には、第２容器２に通じる注出口（開口部）Ａ2が形成されている。また、キャップ２０の上端壁２０ｗからは、注出口Ａ2を封止するシール筒２０ｓが一体に垂下する。これにより、密閉性が確保されている。
【００２５】
第２容器１０は、その内側に第２の内容物Ｃ2が充填される。詳細には、底部１４を胴部１３と別体に構成し、胴部１３の内側に中皿１６を配置する。中皿１６は、胴部１３の内周面に軸線Ｏ2方向に沿って摺動可能に保持される隔壁１６ａを有し、注出口Ａ2に通じる空間Ｒ2を形成し、この空間Ｒ2内に第２の内容物Ｃ2が充填されている。
【００２６】
加えて、空間（以下、「充填空間」）Ｒ2には、第２の内容物Ｃ2と共に、攪拌部材１７が配置されている。攪拌部材１７としては、例えば、図２(a)に示すような球体の部材を用いる。なお、本形態では、口部１１の内周面に、突出部１８を一体に設けることで攪拌部材１７の脱落を防止する。
【００２７】
突出部１８は、内容物Ｃ1及びＣ2を流通させるための注出口Ａ3が確保されるように設けられる。具体例としては、たとえば、口部１１の内周面に、周方向（軸線Ｏ1周り）に間隔を空けて複数設けられた突出部や、周方向（軸線Ｏ1周り）に全周に亘って延在する環状の突出部が挙げられる。
【００２８】
また、本形態では、中皿１６の隔壁１６ａは、胴部１３の内周面に摺動可能に保持される外周部１６ｂとの間に、周方向（軸線Ｏ2周り）に沿って延在する環状の折り返し部１６ｃが形成されている。これにより、中皿１６が上昇して肩部１２付近に到達したとき、攪拌部材１７を挟み込むことがない。また、攪拌部材１７が胴部１３の内周面と中皿１６の外周部１６ｂとの間に挟まって傷付けられることを防止する。
【００２９】
これに対し、底部１４には、中皿１６の下端に通じる貫通孔Ａ4が設けられている。貫通孔Ａ4は、底部１４の接地部１４ａから軸線Ｏ2に沿って起立させた筒体部１４ｂの内側に形成されている。また、貫通孔Ａ4には、図２(b)に示す棒材１９を挿入することができる。
【００３０】
棒材１９は、貫通孔Ａ4に挿入される本体１９ａとフランジ１９ｂとからなる。これにより、棒材１９の本体１９ａを貫通孔Ａ4に挿入し、フランジ１９ｂを介して押し込むと、棒材１９の先端１９ｅが中皿１６を注出口Ａ2に向かって押し込むことができる。
【００３１】
なお、本形態では、中皿１６の下端に、先端１９ｅが挿入される凹部ｎが一体に設けられている。凹部ｎは、隔壁１６ａから軸線Ｏ2に沿って垂下させた筒体部１６ｎの内側に形成されている。筒体部１６ｎは、図２(a)に示すように、筒体部１４ｂに接触することで、底部１４に対して中皿１６を着座させることができる。
【００３２】
次に、図面を参照して、本形態の作用を説明する。
【００３３】
先ず、図１(a)の第１容器１及び図２(a)の第２容器１０からそれぞれ、キャップ３及びキャップ２０を取り外した後、図３に示すように、第１容器１を倒立させることで、第１容器１のノズル２ｎの先端を第２容器２の注出口Ａ2に挿入する。本形態では、第１容器１の薄板片２ｆがそれぞれ中栓部材１５と接触することで、第２容器１０に対して第１容器１が位置決めされる。
【００３４】
次いで、図４に示すように、第１容器１を軸線Ｏ1（Ｏ2）に沿って下向きの矢印Ｆ方向に押し下げれば、ピストン２が第１容器１の底部１ｂに向かってストローク（進行）することで、ノズル２ｎの注出口Ａ1を通して第１の内容物Ｃ1が第２容器１０の充填空間Ｒ2に圧送される。また、ピストン２のストロークが終了しても、第１容器１が倒立しているため、ノズル２ｎに残留している第１の内容物Ｃ1も充填空間Ｒ2に流下させることができる。
【００３５】
第１容器１からの内容物Ｃ1の注出が完了した後は、図５を示すように、第２容器１０に再度キャップ２０をねじ付けることで充填空間Ｒ2内を密閉する。この状態で、第２容器１０を振る等して動かせば、充填空間Ｒ2内の内容物Ｃ1及びＣ2を混合させることができる。特に、本形態では、充填空間Ｒ2内に、攪拌部材１７を配置したことから、内容物Ｃ1及びＣ2の混合は均一なものとなる。
【００３６】
内容物Ｃ1及びＣ2の混合が完了した後は、底部１４に設けた貫通孔Ａ4に棒材１９を挿入する。これにより、その先端１９ｅを中皿１６に突き当て、更に第２容器１０の注出口Ａ2に向かって押し込めば、図６に示すように、それに同期して中皿１６も、注出口Ａ2に向かって押し込まれることで、充填空間Ｒ2の混合物（Ｃ1＋Ｃ2）を注出口Ａ2から取り出すことができる。
【００３７】
上述のとおり、本形態によれば、第１容器１を逆さまにして第２容器１０の注出口Ａ2にノズル２ｎを挿入した後、そのまま第１容器１を押し込めば、この第１容器１からの第１の内容物Ｃ1を、第２容器１０の充填空間Ｒ2に充填された第２の内容物Ｃ2に混合させることができる。
【００３８】
しかも、第１の内容物Ｃ1を充填した後は、底部１４に設けた貫通孔Ａ4に棒材１９を挿入することで、中皿１６を注出口Ａ2に向かって押し込めば、注出口Ａ2から混合物（Ｃ1＋Ｃ2）を容易に取り出すことができる。加えて、第２容器１０に残存する混合物（Ｃ1＋Ｃ2）も、中皿１６によって押し出されることで効率的に取り出すことができる。
【００３９】
即ち、本形態によれば、混合物（Ｃ1＋Ｃ2）が、例えば１０００cp〜１００００cpの範囲の粘性の高いものとなっても、第２容器１０から容易に取り出すことができ、しかも第２容器１０内の残存を抑えることができる。
【００４０】
また、本形態の如く、中皿１６の下端に、棒材１９の先端１９ｅが挿入される凹部ｎを設ければ、棒材１９を中皿１６に確実に位置決めすることができるため、混合物（Ｃ1＋Ｃ2）の取り出しが更に容易になる。
【００４１】
また、第２容器１０の充填空間Ｒ2に、内容物Ｃ1,Ｃ2を攪拌するための部材１７を配置すれば、第１の内容物Ｃ1と第２の内容物Ｃ2とを確実に混合させることで、混合物（Ｃ1＋Ｃ2）の粘性は、混合物（Ｃ1＋Ｃ2）全体として均一なものとなる。
【００４２】
即ち、本形態の如く、第２容器１０の充填空間Ｒ2に、内容物Ｃ1,Ｃ2を攪拌するための部材１７を配置すれば、第２容器１０からの取り出しを更に容易にでき、第２容器１０内に残存する混合物（Ｃ1＋Ｃ2）の発生も更に抑えることができる。
【００４３】
上述したところは、本発明の一形態を示したに過ぎず、特許請求の範囲内において、種々の変更を加えることができる。例えば、本発明は、混合物（Ｃ1＋Ｃ2）の粘性（粘度）が高い場合に有効であるが、第１の内容物Ｃ1及び第２の内容物Ｃ2の粘度そのものは問わない。即ち、結果として、混合物（Ｃ1＋Ｃ2）が高いものとなれば、第１の内容物Ｃ1及び第２の内容物Ｃ2の粘度そのものは任意である。このため、第１の内容物Ｃ1と第２の内容物Ｃ2との少なくとも一方の内容物として粘度の低いものを選択することもできる。また、本発明に従えば、２つの内容物を混合した結果、その混合物（Ｃ1＋Ｃ2）の粘度が高くなることなく粘度の低い混合物となる場合にも採用できる。
【００４４】
また、第２容器１０を使い切り容器とすることなく、繰り返し使用可能なものとした場合には、胴部１３を透明又は半透明にすると共に、注出量を把握できるように目盛を付けることも可能である。更に、キャップ３及び２０はそれぞれ、スクリューキャップに限定されるものではない。
【産業上の利用可能性】
【００４５】
本発明は、飲料、薬剤等、使用に際して二液を混合させるものであれば、種々のものに適用させることができる。
【符号の説明】
【００４６】
１      第１容器
１ａ    筒状部
１ｂ    底部
２      ピストン
２ａ    ピストン隔壁
２ｂ    ピストン外周部
２ｃ    ピストン周壁
２ｄ    環状凹部
２ｆ    薄板片
２ｎ    ピストンノズル
３      キャップ
３ｃ    キャップ周壁
３ｐ    係止突起
３ｓ    シール突起
３ｗ    上端壁
１０    第２容器
１１    口部
１２    肩部
１３    胴部
１４    底部
１４ａ  接地部
１４ｂ  筒体部
１５    シールリング部材
１６    中皿
１６ａ  中皿隔壁
１６ｂ  外周部
１６ｎ  中皿筒体部
１７    攪拌部材
１８    突出部
１９    棒材
１９ａ  本体
１９ｂ  フランジ
１９ｅ  棒材先端
Ａ1     注出口（開口部）
Ａ2     注出口（開口部）
Ａ3     開口部
Ａ4     貫通孔
Ｃ1     第１の内容物
Ｃ2     第２の内容物
Ｏ1     軸線
Ｏ2     軸線
Ｒ1     充填空間
Ｒ2     充填空間
【図１】
2010260593.tif 000003
【図２】
2010260593.tif 000004
【図３】
2010260593.tif 000005
【図４】
2010260593.tif 000006
【図５】
2010260593.tif 000007
【図６】
2010260593.tif 000008